(57)【要約】【課題】把持部の内部に移動可能に備えた球体の位置を確認することで施錠したことを確認できる施錠確認表示機能付き鍵を提供する。【解決手段】鍵ブランク１１の基部及びスライダ１２を内方へ移動可能にかつ外方へ脱出不能に把持体１３の先端部に保持し、かつコイルスプリング１５でスライダ１２を外方へ付勢し、把持体１３内のスライダ１２から離れた位置に該スライダ１２の延長線に直交して画成された球体通路１６に球体を収容し、ロックスライド１８を球体通路１６の中程に突出して球体１７の転動を不能とすると共に、スライダ１２の移動に連動して揺動するリンク機構１９により、ロックスライド１８を後退して球体１７の転動を可能とし、施錠時に球体通路１６の傾斜下方側に転動して位置する球体１７を外方から視認する透かし窓２０を把持体１３に備えた。【選択図】図４
2008267111.tif 000002
【特許請求の範囲】
【請求項１】
錠前の鍵穴に挿し込んで施錠・解錠を行う鍵ブランクの基部にスライダを配設し、このスライダを把持体の先端部で前記把持体の内方へ移動可能に保持し、前記把持体内に設ける付勢手段で前記スライダを外方へ付勢し、前記把持体内の前記スライダの延長線に直交して画成された球体通路に球体を収容し、前記把持体内に設けられたロックスライドを前記球体通路に突出させて前記球体の球体通路の一方から他方への転動を不能とすると共に、前記把持体内に収容されたリンク機構を前記スライダの移動に連動して揺動させ、前記リンク機構により、前記ロックスライドを前記球体通路から後退させて前記球体の転動を可能とし、さらに、前記鍵ブランクを前記錠前の鍵穴に挿し込んで施錠した時の前記球体通路の傾斜下方側に転動して位置する前記球体を外方から視認する表示窓を前記把持体に備えたことを特徴とする施錠確認表示機能付き鍵。
【請求項２】
錠前の鍵穴に鍵ブランクを挿し込むことにより把持体内を進退するスライダ、前記把持体内に設けられ、前記スライダの延長線に直交して画成した球体転動用の球体通路、前記把持体に内蔵され、一端を前記スライダに連結し、他端を前記スライダの延長線に沿って前記球体通路に出没するロックスライドに連結したパンタグラフ型のリンク機構、前記把持体に縮設され常時前記スライダを外方へ付勢する付勢手段、および前記把持体に形成され、前記球体の転動する位置を外方から視認する表示窓を具備し、鍵の不使用時には、前記球体の転動を前記ロックスライドにより拘束するが、鍵の使用時には、前記付勢手段の付勢力に抗して内方へ移動する前記スライダを介して前記リンク機構が拡開変形することにより、前記ロックスライドを前記球体通路から後退させて、前記球体が把持体の傾斜する側へ転動するのを許容するように構成したことを特徴とする施錠確認表示機能付き鍵。
【請求項３】
前記ロックスライドに、前記球体を受容すると共に、前記表示窓に面する側を切り欠いた碗形状の二個のヘッドを併設したことを特徴とする請求項１又は２に記載の施錠確認表示機能付き鍵。
【請求項４】
前記二個の碗形状をなすヘッドに、前記リンク機構の伸張変形に伴って前記ヘッドに受容された前記球体を前記表示窓側に浮き上がらせる傾斜縁を設けたことを特徴とする請求項３に記載の施錠確認表示機能付き鍵。
【請求項５】
前記球体の前記球体通路の中央部の通過を遅らせるように、該球体通路の中央部の一側が突出して通路が狭くなっていることを特徴とする請求項１又は２に記載の施錠確認表示機能付き鍵。
【請求項６】
前記リンク機構は、前記スライダとの間に薄肉で形成した第１ヒンジと、前記リンク機構自体に薄肉で形成した第２ヒンジと、前記ロックスライドとの間に薄肉で形成した第３ヒンジとを有することを特徴とする請求項１〜５のいずれか一項に記載の施錠確認表示機能付き鍵。
【請求項７】
前記表示窓を、前記球体通路を転動する球体が視認可能な一個の透かし窓で形成したことを特徴とする請求項１〜６のいずれか一項に記載の施錠確認表示機能付き鍵。
【請求項８】
前記表示窓が前記把持体の両面に設けられていることを特徴とする請求項１〜７のいずれか一項に記載の施錠確認表示機能付き鍵。
【発明の詳細な説明】
【技術分野】
【０００１】
本発明は、把持部の内部に移動可能に備えた小球の位置を確認することで施錠したことを確認できる施錠確認表示機能付き鍵に関する。
【背景技術】
【０００２】
特許文献１にこの種の鍵が開示されている。この施錠確認表示機能付き鍵は、鍵の挿入方向に対して垂直に小球が移動できる溝形状部を備え、その溝形状部内に小球を設け、かつ、鍵の挿入方向に対して水平にバネにて可動する突起部と一体であるスライド板を設け、溝形状部中央部にその突起部が行き来できるスリットを設けた構成である。
【特許文献１】特開２００６−１６９４６号公報
【発明の開示】
【発明が解決しようとする課題】
【０００３】
しかし、特許文献１の施錠確認表示付き鍵付属品によれば、鍵のつかみ部の上に施錠確認表示付き鍵付属品が設けられるもので、外観が意匠性に劣り、部品点数が多いこと、表示が両面にない等の問題がある。
【０００４】
本発明は、鍵のつかみ部の内部に移動可能に球体を備えていて施錠する際の鍵の回転動作により球体が一方の解錠表示位置から他方の施錠表示位置に移動した状態を外部表示できて球体の位置を見ることで錠の掛け忘れを確認でき、意匠性が高い施錠確認表示機能付き鍵を提供することを課題としている。
【課題を解決するための手段】
【０００５】
(１)本発明は、錠前の鍵穴に挿し込んで施錠・解錠を行う鍵ブランクの基部にスライダを配設し、このスライダを把持体の先端部で前記把持体の内方へ移動可能に保持し、前記把持体内に設ける付勢手段で前記スライダを外方へ付勢し、前記把持体内の前記スライダの延長線に直交して画成された球体通路に球体を収容し、前記把持体内に設けられたロックスライドを前記球体通路に突出させて前記球体の球体通路の一方から他方への転動を不能とすると共に、前記把持体内に収容されたリンク機構を前記スライダの移動に連動して揺動させ、前記リンク機構により、前記ロックスライドを前記球体通路から後退させて前記球体の転動を可能とし、さらに、前記鍵ブランクを前記錠前の鍵穴に挿し込んで施錠した時の前記球体通路の傾斜下方側に転動して位置する前記球体を外方から視認する表示窓を前記把持体に備えたことを特徴とする施錠確認表示機能付き鍵である。
【０００６】
(２)本発明はまた、錠前の鍵穴に鍵ブランクを挿し込むことにより把持体内を進退するスライダ、前記把持体内に設けられ、前記スライダの延長線に直交して画成した球体転動用の球体通路、前記把持体に内蔵され、一端を前記スライダに連結し、他端を前記スライダの延長線に沿って前記球体通路に出没するロックスライドに連結したパンタグラフ型のリンク機構、前記把持体に縮設され常時前記スライダを外方へ付勢する付勢手段、および前記把持体に形成され、前記球体の転動する位置を外方から視認する表示窓を具備し、鍵の不使用時には、前記球体の転動を前記ロックスライドにより拘束するが、鍵の使用時には、前記付勢手段の付勢力に抗して内方へ移動する前記スライダを介して前記リンク機構が拡開変形することにより、前記ロックスライドを前記球体通路から後退させて、前記球体が把持体の傾斜する側へ転動するのを許容するように構成したことを特徴とする施錠確認表示機能付き鍵である。
【０００７】
（３）本発明はまた、前記ロックスライドに、前記球体を受容すると共に、前記表示窓に面する側を切り欠いた碗形状の二個のヘッドを併設したことを特徴とする施錠確認表示機能付き鍵である。
【０００８】
(４)本発明はまた、前記二個の碗形状をなすヘッドに、前記リンク機構の伸張変形に伴って前記ヘッドに受容された前記球体を前記表示窓側に浮き上がらせる傾斜縁を設けたことを特徴とする施錠確認表示機能付き鍵である。
【０００９】
(５)本発明はまた、前記球体の前記球体通路の中央部の通過を遅らせるように、該球体通路の中央部の一側が突出して通路が狭くなっていることを特徴とする施錠確認表示機能付き鍵である。
【００１０】
(６)本発明はまた、前記リンク機構は、前記スライダとの間に薄肉で形成した第１ヒンジと、前記リンク機構自体に薄肉で形成した第２ヒンジと、前記ロックスライドとの間に薄肉で形成した第３ヒンジとを有することを特徴とする施錠確認表示機能付き鍵である。
【００１１】
（７）本発明はまた、前記表示窓を、前記球体通路を転動する球体が視認可能な一個の透かし窓で形成したことを特徴とする施錠確認表示機能付き鍵である。
【００１２】
(８)本発明はまた、前記表示窓が前記把持体の両面に設けられていることを特徴とする施錠確認表示機能付き鍵である。
【００１３】
(９)本発明はまた、前記ロックスライドに、前記三角形状のヘッドを形成したことを特徴とする施錠確認表示機能付き鍵である。
【発明の効果】
【００１４】
本発明によれば、鍵のつかみ部である把持体の内部に移動可能に球体を備えていて施錠する際の鍵の回転動作により球体が一方の解錠表示位置から他方の施錠表示位置に移動した状態を外部表示できて球体の位置を見ることで錠の掛け忘れを確認できて、把持体の内部に施錠確認表示機能を備えたので、意匠性が高い施錠確認表示機能付き鍵を提供することができる。また、前記ロックスライドを前記球体通路から後退させて前記球体の転動を可能とする構造であるため、長手方向の寸法が長くなることが無く、鍵のコンパクト化を図ることもできる。
【００１５】
また、表示窓が把持体の両側に設けられているので、左勝手の扉に設ける錠前と右勝手の扉に設ける錠前のいずれにも、施錠時に表示窓が把持体の上面に存在して錠の掛け忘れを確認でき、また、把持体のどちらの側から見ても錠の掛け忘れを確認でき、利便性が一層高くなる。
【００１６】
また、球体の前記球体通路の中央部の通過を遅らせるように、該球体通路の中央部の一側が突出して通路が狭くなっているので、施錠・解錠の際に無用に球体が移動せず、球体通路が一定の傾斜角、具体的には４１，７７°になったときに確実に移動でき、僅かな動きで戻ってしまうことがない。
【００１７】
また、ロックスライドに、球体を受容すると共に、表示窓に面する側を切り欠いた碗形状の二個の受容部を併設したので、受容部で保持される球体の拘束機能が向上し、スライダが少し摺動しても受容部から球体が逸脱する誤作動を未然に防止できるようになる。
【００１８】
また、リンク機構は、スライダとの間に形成した第１ヒンジと、前記リンク機構自体に形成した第２ヒンジと、前記ロックスライドとの間に形成した第３ヒンジとを有し、これにより、各ヒンジは合成樹脂材による薄肉で形成した関節として機能する。このため、リンク機構が把持体内部でパンタグラフのように屈曲して拡開変形したり、折り畳まれて扁平状に伸張したりでき、これによりロックスライドのヘッドを球体通路に出没できる。その結果、把持体の内部構造を簡易化でき、信頼性ある作動を実現できる。
【００１９】
また、表示窓を、球体通路を転動する球体が視認可能な一個の透かし窓で形成するので、球体が球体通路を移動する状況を視認できるとともに、外観体裁の優れた施錠確認表示機能付き鍵を得ることができる。
【発明を実施するための最良の形態】
【００２０】
以下、本発明の実施の形態を説明する。
【００２１】
〔実施の形態１〕
【００２２】
図１〜図５は本願発明の実施の形態に係る施錠確認表示機能付き鍵を示す。
【００２３】
図１及び図２に示すように、施錠確認表示機能付き鍵１０は、外観的には、鍵ブランク１１と、スライダ１２と、把持体１３とを備え、把持体１３の両面後部に、透かし窓（表示窓）２０を備えている。また、図４に示すように、把持体１３内には、ばねホルダ兼スライダガイド１４と、コイルスプリング（付勢手段）１５と、球体通路１６と、球体１７と、ロックスライド１８と、リンク機構１９を備えている。
【００２４】
鍵ブランク１１は、加工し易く耐摩耗性を有する金属、例えば、洋白等から形成され、錠前の鍵穴に挿し込んで所要角度回動して施錠・解錠を行う。鍵ブランク１１は、錠前の鍵穴の内部形状に合わせて１つ毎に異なった形状に形成されている。
【００２５】
スライダ１２は、合成樹脂材料、例えば、ポリプロピレンから所要形状に成形され、後述する把持体１３に設けたガイド口１３ｅでスライド（摺動）可能に支持されている。換言すると、スライダ１２の半部が把持体１３から外部へ突出され、残り半部が若干肉厚でかつ幅広に形成され把持体１３内に内方へスライド自在にかつ外方へ脱出不能に収容されている。スライダ１２は、鍵ブランク１１の基部１１ａに重ねられる。
【００２６】
把持体１３は、合成樹脂材料、例えば、ＡＢＳから所要中空形形状に成形される。この実施の形態の把持体１３は、ケース１３ａと、カバー１３ｂと、つまみ１３ｃの３つのパーツを嵌合し組み立ててなる。ケース１３ａとカバー１３ｂとで形成される内部空間には、上記のスライダ１２をスライド自在に支持するガイド口１３ｅが設けられると共に、ばねホルダ兼スライダガイド１４が備えられ、ばねホルダ部１４ａにスライダ１２との間に縮設したコイルスプリング１５が保持され、またスライダガイド部１４ｂにロックスライド１８が摺動可能に保持される。ばねホルダ兼スライダガイド１４は、ケース１３ａ又はカバー１３ｂのいずれか一方の内面より突出形成され、かついずれか他方の内面に係合して強度が確保されている。
【００２７】
コイルスプリング１５は、一端にスライダ１２の内端から突設した小径軸部を通し、他端をばねホルダ部１４ａに係合させ、縮設した状態で把持体１３に収容されている。これにより、コイルスプリング１５のばね力が、スライダ１２を常時外方、すなわち、鍵ブランク１１の方向へ押し出すように付勢する。
【００２８】
球体通路１６は、把持体１３内のスライダ１２から離れた位置にスライダ１２の延長線に直交して形成されている。球体通路１６は、把持体１３のつまみ１３ｃに中仕切り１３ｄを嵌着することにより形成されている。球体通路１６内には、中仕切り１３ｄを嵌着する前に球体１７が収容されている（図４参照）。球体１７は、球体通路１６の傾きにより
【００２９】
傾斜下方へ転動する。この場合、球体１７の球体通路１６の中央部の通過を遅らせるように、球体通路１６の中央部の一側が突出して通路が狭くなっている（図３参照）。球体１７は、蓄光性合成樹脂材料、例えば、蓄光材を含むポリプロピレンから成形されるのが好ましい。
【００３０】
ロックスライド１８は、合成樹脂材料、例えば、ポリプロピレンから所要形状に成形され、二等辺三角形のヘッド１８ａと、ロッド１８ｂとかならなる。ロックスライド１８は、ロッド１８ｂをばねホルダ兼スライダガイド１４のスライダガイド部１４ｂに摺動可能に保持され、ヘッド１８ａを、ケース１３ａとカバー１３ｂとで形成される内部空間と、
【００３１】
球体通路１６の中央部とを連通する開口より、球体通路１６のほぼ中央に進出して球体１７の転動を不能としている（図４参照）。
【００３２】
リンク機構１９は、例えば、スライダ１２やロックスライド１８と同様に、ポリプロピレンを素材として形成され、把持体１３の内部にばねホルダ兼スライダガイド１４の両側にほぼ左右対称となるように位置して収容されている。リンク機構１９は、への字形状に第１リンク１９ａと棒状の第２リンク１９ｂとが連結され、第１リンク１９ａの先端をスライダ１２に連結され、第２リンク１９ｂの後端をロックスライド１８に連結されている。
【００３３】
これらの連結は、具体的には、薄肉に形成したいわゆる弾性変形を利用したＰＰヒンジ（ポリプロピレンヒンジ）であり、スライダ１２と第１リンク１９ａとの間に第１ヒンジＰ１、第１リンク１９ａと第２リンク１９ｂとの間に第２ヒンジＰ２、第２リンク１９ｂとロックスライド１８との間に第３ヒンジＰ３がそれぞれ形成される。これにより、交番荷重が各部材に作用した場合に、各ヒンジＰ１，Ｐ２，Ｐ３を中心として繰り返して屈曲変形するいわゆるパンタグラフ型のリンク機構が構成される。
【００３４】
また、第１リンク１９ａの第１ヒンジＰ１近傍には、鋭角をなして屈曲する屈曲部１９ｃが延長して設けられ、図４における通常時は、屈曲部１９ｃはガイド口１３ｅに着座している。屈曲部１９ｃと第１リンク１９ａとで角部１９ｄが形成され、後述する規制突起２２に係脱するようになっている。
【００３５】
そして、リンク機構１９は、スライダ１２の把持体１３の内方への移動に連動して第１リンク１９ａと第２リンク１９ｂとが第２ヒンジＰ２を中心にして屈曲揺動することにより、ロックスライド１８を球体通路１６への突出位置から後退させて球体１７の転動を可能とする。把持体１３の内部には、規制突起２２，２３が設けられ、スライダ１２の把持体１３の内方への移動に連動して、第１リンク１９ａと第２リンク１９ｂとがパンタグラフ機構として円滑に屈曲揺動するように構成されている。
【００３６】
こうして、図４に示す伸張した状態のリンク型のリンク機構１９において、スライダ１２に押し込む力が作用すると、スライダ１２は把持体１３内方へコイルスプリング１５のばね力に抗して進入する。このときに、図５に示されるように、屈曲部１９ｃの一部がガイド口１３ｅに接触した状態を維持しながら、第１リンク１９ａと共に第１ヒンジＰ１を中心にして回動し、第１リンク１９ａおよび第２リンク１９ｂが第２ヒンジＰ２を中心としてで屈曲して左右にパンタグラフのように拡開するようになっている。
【００３７】
透かし窓２０は、鍵ブランク１１を錠前の鍵穴に挿し込んで施錠した時の球体通路１６の傾斜下方側に転動して位置する球体１７を外方から視認する表示窓であり、把持体１３の両面に球体通路１６の両端部と連通して開口されていて、球体１７の移動を停止し、外部から球体１７を視認できるように構成されている（図１〜図３参照）。この実施の形態の透かし窓２０は、二色成形により形成した透明な合成樹脂で開口が閉塞されている（図３参照）。
【００３８】
次に実施の形態１に係る施錠確認表示機能付き鍵の組み立て手順について説明する。
【００３９】
把持体１３について、先にケース１３ａとつまみ１３ｃとを嵌合した状態とし、この状態で、ばねホルダ兼スライダガイド１４が備えられ、把持体１３に設けたガイド口１３ｅに鍵ブランク１１の先端部とこれに一体に重なるスライダ１２とが嵌合され、さらに、コイルスプリング１５とロックスライド１８と、リンク機構１９とが組み付けられ、最後に、カバー１３ｂが嵌合され、組み立てが完了されてなる。なお、先に、ケース１３ａとカバー１３ｂとを嵌合し、次いで、つまみ１３ｃを嵌合することにより把持体１３の組み立てが完了する構成でも良い。
【００４０】
次に、実施の形態１の作用を説明する。
【００４１】
施錠確認表示機能付き鍵１０は、鍵ブランク１１を錠前の鍵穴に挿し込んで施錠・解錠を行う。施錠のため、鍵ブランク１１を錠前の鍵穴に挿し込んだ際には、スライダ１２の先端を錠前に押しつける。これにより、コイルスプリング１５がそのばね力に抗して圧縮され、スライダ１２がガイド口１３ｅに案内されて把持体１３の内方へ相対移動し、把持体１３の先端が錠前に近接する。
【００４２】
このとき、把持体１３の内部では、スライダ１２がガイド口１３ｅに案内されながら内方へ摺動し始める。すると、屈曲部１９ｃがガイド口１３ｅから浮き上がり始め、角部１９ｄが規制突起２２に係合し、そこを回動中心として第１リンク１９ａが第１ヒンジＰ１を基点に回動する。こうして、リンク機構１９がスライダ１２の移動に連動して第２ヒンジＰ２を中心にしてパンタグラフのように拡開していく。該リンク機構１９の屈曲変形により、ロックスライド１８が球体通路１６から後退する。こため、図４に示した状態の球体１７は、図５に示すように球体通路１６内を転動可能となる。
【００４３】
鍵ブランク１１を錠前の上下方向に長い鍵穴に挿し込んだとき、球体１７は球体通路１６の下側に位置し、把持体１３を施錠する方向に球体通路１６の傾斜角が逆転する角度捻って（逆転後の傾斜角が４１，７７°以上であることが好ましい）、錠前の鍵穴に挿し込まれた鍵ブランク１１が錠前の施錠を行うと、当初、球体１７は球体通路１６の上側に位置することになるが、重力作用により球体通路１６を転動して下側に来る。
【００４４】
鍵ブランク１１を錠前の鍵穴から引き抜くと、圧縮されていたコイルスプリング１５の付勢力により、スライダ１２が外方へ押動され、これに連動して、リンク機構１９が図５の状態から図４に示すように伸張する状態へ揺動し、ロックスライド１８が球体通路１６へ突出して球体１７の球体通路１６内の転動を拘束する。従って、このとき、球体１７が見える透かし窓２０の縁に「閉」の文字を刻印しておけば、球体１７が「閉」の文字が刻印された透かし窓２０より見えるときは、施錠状態で鍵を引き抜いたことが確認される。
【００４５】
解錠するために、鍵ブランク１１を錠前の鍵穴に挿し込んだ際にも、スライダ１２の先端を錠前に押しつける。これにより、スライダ１２が把持体１３の内方へ相対移動し、ロックスライド１８が球体通路１６から後退し、球体１７は球体通路１６内を転動可能となる。鍵ブランク１１を錠前の鍵穴に挿し込んだとき、球体１７は球体通路１６の下側に位置し、把持体１３を解錠する方向に９０°以上捻って、錠前の鍵穴に挿し込まれた鍵ブランク１１で錠前の解錠を行うと、球体１７は球体通路１６の上側に位置することになるが、重力作用により球体通路１６内を転動して下側に来る。鍵ブランク１１を錠前の鍵穴から引き抜くと、ロックスライド１８が球体通路１６へ突出して球体１７の球体通路１６内の転動を不能とする。従って、このとき、球体１７が見える透かし窓２０の縁に「開」の文字を刻印しておけば、球体１７が「開」の文字が刻印された透かし窓２０より見えるときは、解錠状態で鍵を引き抜いたことが確認できる。
【００４６】
以上説明してきたように、この実施の形態１によれば、つまみ１３ｃの内部に移動可能に球体１７を備えていて施錠する際の鍵の回転動作により球体１７が一方の解錠表示位置から他方の施錠表示位置に移動した状態を外部表示できて球体の位置を見ることで錠の掛け忘れを確認できる。また、つまみ部（把持体）の内部に施錠確認表示機能を備えたので、意匠性が高い施錠確認表示機能付き鍵を提供することができる。さらに、この実施の形態１によれば、透かし窓（表示窓）２０が把持体の両側に設けられているので、左勝手の扉に設ける錠前と右勝手の扉に設ける錠前のいずれにも、施錠時に表示窓２０が把持体１３の上面に存在して錠の掛け忘れを確認でき、また、把持体のどちらの側から見ても錠の掛け忘れを確認でき、利便性が一層高くなる。さらに、球体１７の球体通路１６の中央部の通過を遅らせるように、該球体通路の中央部の一側が突出して通路が狭くなっているので、施錠・解錠の際に無用に球体が移動せず、球体通路１６が一定の傾斜角、具体的には４１，７７°になったときに確実に移動でき、僅かな動きで戻ってしまうことがない。リンク機構１９の採用と、ロックスライド１８のヘッド１８ａの三角形状の採用により、スライド１２の小さなストロークで、ロックスライド１８が球体通路１６から十分に引っ込むので、鍵ブランク１１や把持体１３の長さを短くすることができる。
【００４７】
また、本実施の形態１によれば、鍵ブランク１１を錠前の水平方向に長い鍵穴に挿し込んだときも、同様に、スライダ１２の先端を錠前に押しつけることにより、スライダ１２が把持体１３の内方へ相対移動し、球体１７が球体通路１６内を転動可能となる。把持体１３を所要角度捻って、施錠・解錠を行うと、球体１７は球体通路１６の上側に位置することになるが、重力作用により球体通路１６内を転動して下側に来るので、施錠状態又は解錠状態で鍵を引き抜いたことが確認できる。
【００４８】
〔実施の形態２〕
【００４９】
本発明の実施の形態２を、図６および図７に基づいて説明する。本実施の形態２が、上記実施の形態１と構成上相違する点は、上記実施の形態１では、ロックスライド１８に三角形状のヘッド１８ａを設けたのに対し、本実施の形態２では二個の碗形状のヘッドを連接した点、および上記実施の形態１では把持体１３の両側にそれぞれ二個の透かし窓２０を設けた構成としたが、これに対して本実施の形態２では一個の透かし窓を形成した点でのみ相違し、その他の技術構成は両者共実質的に同一である。以下においては、上記相違する構成のみを説明することとし、その他の構成についての詳細な説明は割愛する。なお、上記実施の形態１と実質的に同等の部材、部分には実施の形態１に用いたと同じ符号を使用して説明する。
【００５０】
本実施の形態２におけるリンク機構１９の基本形態は、図６に示されるように、上記実施の形態１におけるそれと実質的に同一であるが、ロックスライド１８には、ロッド１８ｂの延長線に関して上下対称に二個の碗状のヘッド１８ａ１および１８ａ２が設けられ、球体１７を抱持するように受容される構成としている点で特徴を有する。ヘッド１８ａ１および１８ａ２には、後述する透かし窓３０に面する側に、深くえぐられた切欠きにより、Ｕ字状またはＶ字状の傾斜縁１８ａ３、１８ａ４が形成され、受容された球体１７が、透かし窓３０を通して外部から視認できるようになっている。そして、ヘッド１８ａ１および１８ａ２は、図７に示すように、把持体１３に形成される球体通路１６内を出没自在となるように形成される。
【００５１】
リンク機構１９は、スライダ１２，第1リンク１９ａ、第２リンク１９ｂ、ヘッド１８ａ、およびロッド１８ｂを一体に有するパンタグラフ型のリンク機構を形成する。そして、スライダ１２との間に形成した第１ヒンジＰ１と、リンク機構１９自体、換言すると第１リンク１９ａと第２リンク１９ｂとの間に形成した第２ヒンジＰ２と、ロックスライド１８との間に形成した第３ヒンジＰ３とを有する。これらヒンジは薄肉のＰＰヒンジであり、関節として機能する。こうして、リンク機構１９は把持体１３の一方側に位置決めしてセットされる。
【００５２】
把持体１３の図示されない他方側には、図７の透かし窓３０を嵌め込む一個の図示されない穴が穿たれる。透かし窓３０は平面形状がほぼ楕円形状をなし、外部へ曲面をなして膨出する目玉状の形状に形成され、球体通路１６のほぼ全幅を覆う。これにより、球体通路１６内を転動する球体１７が透かし窓３０を介して視認できるようになっている。
【００５３】
こうして、図７に示す把持体１３の一方側に、リンク機構１９を位置決めセットした後、その上から鍵ブランク１１と透かし窓３０とをセットする。次いで、把持体１３の図示しない他方側を上から被せて一方側に嵌合させることで施錠確認表示機能付き鍵が組み立てられる。
【００５４】
本実施の形態２は上記のように構成されるので、鍵を使用しないときは、コイルスプリング１５の付勢力によりヘッド１８ａ１および１８ａ２は、球体通路１６内へ図７の符号Ａに示すように出っ張り、球体１７はいずれか一方のヘッド１８ａ１および１８ａ２に受容され、球体１７の転動が拘束される。鍵を使用するときには、コイルスプリング１５の付勢力に抗してスライダ１２が内方へ強制的に移動する。これにより、スライダ１２を介してリンク機構１９が拡開変形し、ヘッド１８ａ１および１８ａ２は球体通路１６から没して球体通路１６から待避し、図７に示す符号Ｂに移動する。これにより、球体１７が球体通路１６内を転動するのを許容される。この状態で鍵をいずれかの方向へ回動して傾斜させることで、球体１７は把持体１３が傾斜する側へ球体通路１６内を転動する。その後、スライダ１２に作用させる押圧力を除荷すると、コイルスプリング１５の付勢力により、リンク機構１９が伸びるように変形する。その結果、ヘッド１８は球体通路１６へ出っ張り、それまで球体１７を保持していたヘッドから隣りのヘッドに切り替わって球体１７が保持される。
【００５５】
このように、本実施の形態２によれば、球体１７は碗状のヘッド１８ａ１および１８ａ２で受容されるので、スライダ１２に少々の外力が不用意に作用しても、球体１７がヘッド間を移動するという誤作動を良好に回避できる。また、広い面積を有する透かし窓３０が把持体１３に嵌め込まれ、かつ、碗状のヘッド１８ａ１および１８ａ２に傾斜縁１８ａ３、１８ａ４を設けているので、リンク機構１９の伸張にともなって球体１７がヘッド１８ａ１または１８ａ２に乗り上げられ、球体１７が透かし窓３０側に浮き上がって透かし窓３０に近づくように、つまり、球体１７が透かし窓３０からよく見えるようにすることができる。その結果、球体１７が施錠と解錠のいずれの状態にあるかを使用者が視認するのが容易となる。また、広い面積を有する透かし窓３０を設けたことにより、見栄えの良い施錠確認表示機能付き鍵を得ることができる。
【００５６】
本発明は、上記実施の形態に限られるものではなく、その趣旨及び技術思想を逸脱しない範囲で種々の変形が可能である。
【００５７】
例えば、本発明は、２つのパーツを組み合わせてなる中空扁平形状であってもよい。そして、球体通路１６が２つのパーツを組み合わせにより形成されてもよい。
【００５８】
本発明は、鍵ブランク１１を、把持体１３に固定状態に保持するのではなくて、スライダ１２と一体にスライドするように構成してもよい。この場合は、スライダ１２は、単体で成形されてから鍵ブランク１１の基部１１ａに接着、嵌合により一体に重ねられるか、または、鍵ブランク１１の基部１１ａに重ねるように被覆モールド等により一体に成形される。
【産業上の利用可能性】
【００５９】
本発明は、建物用ドア等を施錠・解錠する施錠確認表示機能付き鍵として利用される。
【図面の簡単な説明】
【００６０】
【図１】本発明の実施の形態１に係る施錠確認表示機能付き鍵の正面図である。
【図２】図１に示す施錠確認表示機能付き鍵の背面図である。
【図３】図１におけるＩＩＩ−ＩＩＩ断面図である。
【図４】図１に示す施錠確認表示機能付き鍵の通常状態を示す断面部である。
【図５】図１に示す施錠確認表示機能付き鍵のスライダが引っ込んだときの状態を示す断
【図６】本発明の実施の形態２に係るリンク機構の拡大外観斜視図である。
【図７】上記の実施の形態２の内部構造を示す外観斜視図である。
【符号の説明】
【００６１】
１０  施錠確認表示機能付き鍵
１１  鍵ブランク
１２  スライダ
１３  把持体
１５  コイルスプリング（付勢手段）
１６  球体通路
１７  球体
１８  ロックスライド
１９  リンク機構
２０、３０  透かし窓（表示窓）
１８ａ１、１８ａ２  ヘッド  
１８ａ３、１８ａ４  傾斜縁
【図１】
2008267111.tif 000003
【図２】
2008267111.tif 000004
【図３】
2008267111.tif 000005
【図４】
2008267111.tif 000006
【図５】
2008267111.tif 000007
【図６】
2008267111.tif 000008
【図７】
2008267111.tif 000009